(57)【要約】      （修正有）【課題】吊りボルトの任意の位置に容易に半割ナット体を固定配置することができ、装置物の取付け作業性を向上することができる吊りボルト用支持金具を提供する。【解決手段】吊下配置された吊りボルトＢに螺着可能なナット体を半割状に形成してなる一対の半ナット体１・２と、一対の半ナット体を吊りボルトに止着可能な結合ボルトとを備えてなることを特徴とする。【選択図】図１
0003151654.tif 000002
【実用新案登録請求の範囲】
【請求項１】
吊下配置された吊りボルトに螺着可能なナット体を半割状に形成してなる一対の半ナット体と、該一対の半ナット体を該吊りボルトに止着可能な結合ボルトとを備えてなることを特徴とする吊りボルト用支持金具。
【請求項２】
上記半ナット体に取り付け可能な支持材を備えてなることを特徴とする請求項１記載の吊りボルト用支持金具。
【請求項３】
上記支持材を上記半ナット体に上記結合ボルトにより取り付けてなることを特徴とする請求項２記載の吊りボルト用支持金具。
【考案の詳細な説明】
【技術分野】
【０００１】
本考案は、例えば、電線管やケーブル、ケーブルラック、空調ダクトなどの配管類、配線類などを支持する際に用いられる吊りボルト用支持金具である。
【背景技術】
【０００２】
この種の吊りボルト用金具として、支持材に天井部分に吊下配置された吊りボルトのボルト径より若干大きな幅の長穴及び吊りボルトに螺着された一対のナットの外径より若干大きな内径の挿通穴を連通状に形成してなる構造のものが知られている。
【先行技術文献】
【特許文献】
【０００３】
【特許文献１】特開２００５−２１３９０９号公報
【特許文献２】特開２００１−２５１２７号公報
【考案の概要】
【考案が解決しようとする課題】
【０００４】
しかしながら上記従来構造の場合、上記支持材を上記吊りボルトに長穴及び挿通穴を挿通して係合した後、支持材を吊りボルトに予め螺着した一対のナットにより挟持して固定することになり、支持材が特殊な形状となってコスト高となり易く、しかも、この一対のナットをスパナ等により締め付け回動する作業が必要となり、それだけ、支持材の取付け作業性が低下することがあるという不都合を有している。
【課題を解決するための手段】
【０００５】
本考案はこれらの不都合を解決することを目的とするもので、本考案のうちで、請求項１記載の考案は、吊下配置された吊りボルトに螺着可能なナット体を半割状に形成してなる一対の半ナット体と、該一対の半ナット体を該吊りボルトに止着可能な結合ボルトとを備えてなることを特徴とする吊りボルト用支持金具にある。
【０００６】
又、請求項２記載の考案は、上記半ナット体に取り付け可能な支持材を備えてなることを特徴とするものであり、又、請求項３記載の考案は、上記支持材を上記半ナット体に上記結合ボルトにより取り付けてなることを特徴とするものである。
【考案の効果】
【０００７】
本考案は上述の如く、請求項１記載の考案にあっては、吊下配置された複数個の吊りボルトにナット体に半割状に形成してなる一対の半ナット体を結合ボルトにより止着し、この半割ナット体を用いて、例えば、電線管やケーブル、ケーブルラック、空調ダクトなどの配管類、配線類などの装置物を止着することができ、半割ナット体を吊りボルトに止着する構造であるから、吊りボルトの任意の位置に結合ナットの締付作業により容易に半割ナット体を固定配置することができ、装置物の布設位置や形態、大きさなどに対する配置の融通性を高めることができ、装置物の取付け作業性を向上することができる。
【０００８】
又、請求項２記載の考案にあっては、上記半ナット体に取り付け可能な支持材を備えてなるから、隣り合う半ナット体に支持材を固定架設することができ、支持材を用いて、装置物を止着したり、載置したりすることができ、装置物を一層容易に取り付けることができ、又、請求項３記載の考案にあっては、上記支持材を上記半ナット体に上記結合ボルトにより取り付けてなるから、支持材を容易に半ナット体に取り付けることができる。
【図面の簡単な説明】
【０００９】
【図１】本考案の実施の第一形態例の斜視図である。
【図２】本考案の実施の第一形態例の分解斜視図である。
【図３】本考案の実施の第一形態例の使用状態の斜視図である。
【図４】本考案の実施の第一形態例の使用状態の断面図である。
【図５】本考案の実施の第一形態例の使用状態の平断面図である。
【図６】本考案の実施の第一形態例の使用状態図である。
【図７】本考案の実施の第一形態例の斜視図である。
【図８】本考案の実施の第二形態例の斜視図である。
【図９】本考案の実施の第二形態例の使用状態の断面図である。
【図１０】本考案の実施の第二形態例の使用状態の平断面図である。
【考案を実施するための形態】
【００１０】
図１乃至図１０は本考案の実施の形態例を示し、図１乃至図７は第一形態例、図８乃至図１０は第二形態例である。
【００１１】
図１乃至図７の第一形態例において、１・２は一対の半ナット体であって、図１、図２、図３、図６の如く、天井部分Ｈに吊下配置された吊りボルトＢ・・・に螺着可能な四角状のナット体を半割状に形成した形状となっており、一方の半ナット体１に半円弧状の半雌螺子部１ａが形成され、この半雌螺子部１ａを境にして一対の通穴１ｂ・１ｂが形成され、他方の半ナット体２に半円弧状の半雌螺子部２ａが形成され、この半雌螺子部２ａを境にして一対の雌螺子部２ｂ・２ｂが形成されている。
【００１２】
この場合、図６の如く、天井部分Ｈにおいて、スラブＳのコンクリート打設面に複数個のインサートＮを埋め込み状に取付け、インサートＮに吊りボルトＢ・・・の上端部を螺着し、吊りボルトＢ・・・の下端部に受け金具Ｋを取付け、受け金具Ｋに野縁材Ｐを布設し、野縁材Ｐに天井材Ｔを取り付けるように構成している。尚、吊りボルトＢの上端部をスラブＳのコンクリート打設時に直接埋め込むこともある。
【００１３】
３・３は結合ボルトであって、図４、図５の如く、上記一対の通穴１ｂ・１ｂから雌螺子部２ｂ・２ｂに螺着することにより、一対の半ナット体１・２を結合して一対の半ナット体１・２を吊りボルトＢに止着するように構成している。
【００１４】
４は支持材であって、この場合、Ｌ型アングル材に複数個の長穴４ａ・・を形成してなり、この支持材４は上記半ナット体１・２うちの一方の半ナット体１に上記結合ボルトにより取り付けられている。尚、この支持材は上記半ナット体１・２の一方又は双方に取り付けることもあり、また、この場合、支持材４を上記結合ボルト３・３により取り付けるようにしているが、他の部材により上記半ナット体１・２の一方又は双方に取り付けることもある。
【００１５】
この実施の第一形態例は上記構成であるから、吊下配置された複数個の吊りボルトＢにナット体に半割状に形成してなる一対の半ナット体１・２を結合ボルト３・３により止着し、この半割ナット体１・２を用いて、例えば、電線管やケーブル、ケーブルラック、空調ダクトなどの配管類、配線類などの装置物Ｗを止着することができ、半割ナット体１・２を吊りボルトＢに止着する構造であるから、吊りボルトＢの任意の位置に結合ナット３・３の締付作業により容易に半割ナット体１・２を固定配置することができ、装置物Ｗの布設位置や形態、大きさなどに対する配置の融通性を高めることができ、装置物Ｗの取付け作業性を向上することができ、半ナット体１・２は吊りボルトＢに螺着可能であるから、半ナット体１・２を正逆回動することにより吊りボルトＢに対する取付け位置を容易に調節することができ、調整後に結合ボルト３・３により半ナット体１・２固着することもでき、使用の融通性を高めることができる。
【００１６】
この場合、図３、図４、図５の如く、上記半ナット体１・２に取り付け可能な支持材４を備えてなるから、隣り合う半ナット体１・２に支持材４を固定架設することができ、支持材４を用いて、装置物Ｗを止着したり、載置したりすることができ、装置物Ｗを一層容易に取り付けることができ、又、この場合、上記支持材４を上記半ナット体１・２に上記結合ボルト３・３により取り付けてなるから、支持材４を容易に半ナット体１・２に取り付けることができる。
【００１７】
図８乃至図１０の第二形態例は別例構造を示し、この場合、上記半ナット体１・２は内部を空洞化して形成され、半ナット体２の雌螺子部２ｂはバーリング加工部分に形成されている。
【００１８】
この第二形態例にあっても、上記第一形態例と同様な作用効果を得ることができると共に軽量化を図ることができる。
【００１９】
以上の如く、所期の目的を充分達成することができる。
【符号の説明】
【００２０】
Ｂ    吊りボルト
１    半ナット体
２    半ナット体
３    結合ボルト
４    支持材
【図１】
0003151654.tif 000003
【図２】
0003151654.tif 000004
【図３】
0003151654.tif 000005
【図４】
0003151654.tif 000006
【図５】
0003151654.tif 000007
【図６】
0003151654.tif 000008
【図７】
0003151654.tif 000009
【図８】
0003151654.tif 000010
【図９】
0003151654.tif 000011
【図１０】
0003151654.tif 000012